(57)【要約】【課題】  比較的大型の動物の侵入を防ぐだけでなく、その上面を人や車両が通行することもできる動物侵入防止用敷設パネルを提供する。【解決手段】  地面に敷設して動物の侵入を防止する動物侵入防止用敷設パネル１０において、少なくともその上面側を、格子枠状に形成された格子枠部１１とし、格子枠部１１におけるそれぞれの格子目αの内側に刺激用突起βを上向きに設け、その上側を歩行しようとする動物の足裏を刺激用突起βで刺激することができるようにした。【選択図】  図３
2019193624.tif 000002
【特許請求の範囲】
【請求項１】
地面に敷設して動物の侵入を防止する動物侵入防止用敷設パネルであって、
少なくともその上面側が格子枠状に形成された格子枠部とされ、
格子枠部におけるそれぞれの格子目の内側に刺激用突起が上向きに設けられ、
その上側を歩行しようとする動物の足裏を刺激用突起で刺激することができるようにした
ことを特徴とする動物侵入防止用敷設パネル。
【請求項２】
上下に貫通した格子目を有する格子枠部を為す上側パネルと、
上側パネルのそれぞれの格子目に対応する位置に刺激用突起が上向きに設けられた下側パネルと
で構成され、
上側パネルの下面側から下側パネルを組み付けると、それぞれの刺激用突起が上側パネルの格子目の下側から格子目内に挿入されるようにした
請求項１記載の動物侵入防止用敷設パネル。
【請求項３】
下側パネルが、１枚の板状基部の上面側に複数の刺激用突起を上向きに設けたものとされた請求項２記載の動物侵入防止用敷設パネル。
【請求項４】
下側パネルが、複数枚の帯板状基部のそれぞれの上面に複数の刺激用突起を上向きに設けたものとされた請求項２記載の動物侵入防止用敷設パネル。
【請求項５】
下側パネルが、網状基部の上面側に複数の刺激用突起を上向きに設けたものとされた請求項２記載の動物侵入防止用敷設パネル。
【請求項６】
動物侵入防止用敷設パネルの上面に平行な一の方向に配される複数本の第一棒材と、
動物侵入防止用敷設パネルの上面に平行で、且つ、第一棒材とは非平行な方向に配される複数本の第二棒材と、
動物侵入防止用敷設パネルの上面に非平行な方向に配される複数本の第三棒材と
を立体格子状に組み上げた構造とされた
請求項１記載の動物侵入防止用敷設パネル。
【請求項７】
請求項１〜６いずれか記載の動物侵入防止用敷設パネルを地面に敷設する動物侵入防止用敷設パネルの施工方法。
【請求項８】
請求項１〜６いずれか記載の動物侵入防止用敷設パネルを用いて動物の侵入を防止する動物侵入防止方法。
【発明の詳細な説明】
【技術分野】
【０００１】
本発明は、地面に敷設して動物の侵入を防止する動物侵入防止用敷設パネルと、この動物侵入防止用敷設パネルの施工方法と、この動物侵入防止用敷設パネルを用いた動物侵入防止方法とに関する。
【背景技術】
【０００２】
農作物が野生動物に食い荒らされたり、人が野生動物に襲われたりといった獣害を防ぐため、動物の侵入を防止したい区画（動物侵入防止区画）の境界線に沿った箇所に動物侵入防止体を設置することが行われている。
【０００３】
動物侵入防止体としては、柵状のものが最も一般的である。しかし、猪等の比較的大型で獰猛な動物の侵入を柵状の動物侵入防止体で防止しようとすると、動物侵入防止体を堅牢に施工する必要があり、その施工作業に手間やコストを要するようになる。また、柵状の動物侵入防止体は、施工後の美観が損なわれるという欠点も有している。さらに、柵状の動物侵入防止体を施工すると、動物だけでなく、人や車両も通行できなくなるという問題が生ずる。
【０００４】
この点、特許文献１，２には、地面等に敷設するマット状の動物侵入防止体（小動物侵入防止マット）が提案されている。特許文献１，２の小動物侵入防止マットのように、地面等に敷設するタイプの動物侵入防止体は、施工が容易であり、コストを抑えることができるだけでなく、美観を保つこともできるという利点を有している。
【先行技術文献】
【特許文献】
【０００５】
【特許文献１】実登第３０４０６９７号公報
【特許文献２】特開平１０−２２９８０３号公報
【発明の概要】
【発明が解決しようとする課題】
【０００６】
しかし、特許文献１，２の動物侵入防止体（小動物侵入防止マット）は、有刺鉄線を格子状に溶接しただけのものである。このため、特許文献１，２の動物侵入防止体は、猫のような小動物の侵入を防止することができたとしても、猪等、比較的大型の動物であって硬い蹄を有する動物の侵入を防止する効果は、あまり奏されないものと考えられる。
【０００７】
また、特許文献１，２の動物侵入防止体には、多数のトゲが形成されている。このため、特許文献１，２の動物侵入防止体の上面を人が歩くと、靴底や足裏が傷つく虞がある。一方、特許文献１，２の動物侵入防止体の上面を車両が通行すると、その車両のタイヤがパンクする虞もある。このように、特許文献１，２の動物侵入防止体は、人や車両の通行に配慮したものとなっていない。
【０００８】
本発明は、上記課題を解決するために為されたものであり、地面等に敷設するタイプの動物侵入防止体（動物侵入防止用敷設パネル）でありながら、猪等、比較的大型の動物の侵入を防ぐことができるようにするとともに、その上面を人や車両が通行することもできるようにすることを目的としている。また、本発明は、上記の動物侵入防止用敷設パネルを地面等に施工する方法（動物侵入防止用敷設パネルの施工方法）を提供することや、上記の動物侵入防止用敷設パネルを用いて動物の侵入を防止する方法（動物侵入防止方法）を提供することも目的としている。
【課題を解決するための手段】
【０００９】
上記課題は、
地面に敷設して動物の侵入を防止する動物侵入防止用敷設パネルであって、
少なくともその上面側が格子枠状に形成された格子枠部とされ、
格子枠部におけるそれぞれの格子目の内側に刺激用突起が上向きに設けられ、
その上側を歩行しようとする動物の足裏を刺激用突起で刺激することができるようにした
ことを特徴とする動物侵入防止用敷設パネル
を提供することによって解決される。
【００１０】
本発明の動物侵入防止用敷設パネルは、上記のように、その上面側が格子枠状に形成されて、その格子目の内側に刺激用突起が上向きに設けられたものとすることによって、猪等、比較的大型の動物の侵入を防止することも可能なものとなっている。すなわち、猪等の動物は、足裏に違和感が生ずることを極端に嫌う習性を有しており、足裏に違和感を覚えると、その違和感を覚えた場所から先に進むことを諦める習性を有している。特に蹄のある動物は、硬い線状をなす部分の上や、薄い板状の部分の上は、足裏の柔らかい部分にそれらの部材が食い込むため、それらの部材の上を歩行することを非常に嫌う性質を有している。この点、本発明の動物侵入防止用敷設パネルは、その上面を歩行しようとする動物の足裏を刺激用突起の上端部で刺激し、その動物に違和感を覚えさせることで、その動物に侵入を諦めさせることが可能なものとなっている。
【００１１】
また、本発明の動物侵入防止用敷設パネルは、刺激用突起の周囲が格子枠部で囲まれた構造となっているため、その上側を人や車両が通行することも可能なものとなっている。すなわち、人の足裏や車両のタイヤは、格子枠部の格子目よりも大きな寸法を有していることに加えて、それぞれの格子目の内部には、上記の刺激用突起が配されている。このため、本発明の動物侵入防止用敷設パネルの上面に人の足裏や車両のタイヤが載っても、その足裏やタイヤが格子目の中に深く入り込まないようになっている。
【００１２】
本発明の動物侵入防止用敷設パネルは、上記のような構造を有するのであれば、その具体的な構成を特に限定されない。しかし、本発明の動物侵入防止用敷設パネルは、
上下に貫通した格子目を有する格子枠部を為す上側パネルと、
上側パネルのそれぞれの格子目に対応する位置に刺激用突起が上向きに設けられた下側パネルと
で構成され、
上側パネルの下面側から下側パネルを組み付けると、それぞれの刺激用突起が上側パネルの格子目の下側から格子目内に挿入されるもの
とすることが好ましい。
【００１３】
これにより、格子枠部における格子目の内部に刺激用突起が配されるという比較的複雑な構造を有する本発明の動物侵入防止用敷設パネルを、比較的単純な構造を有する２つの部材（上側パネル及び下側パネル）を組み付けることによって得ることが可能になる。したがって、動物侵入防止用敷設パネルの製造コストを抑えるだけでなく、動物侵入防止用敷設パネルの強度を維持することも可能になる。
【００１４】
本発明の動物侵入防止用敷設パネルを上記のように上側パネルと下側パネルとで構成する場合において、刺激用突起が設けられる下側パネルの構造も特に限定されない。下側パネルのタイプとしては、例えば、下記のものが挙げられる。
【００１５】
まず、１枚の板状基部の上面側に複数の刺激用突起を上向きに設けたタイプの下側パネルである。これにより、下側パネルを構成する部品の点数を減らすことが可能になる。また、下側パネルは、板状基部と複数の刺激用突起とが一体化された１つの部材となるため、上側パネルに対して下側パネルを組み付ける作業を容易に行うことも可能になる。以下においては、このタイプの下側パネルを「平板タイプの下側パネル」と呼ぶことがある。
【００１６】
次に、複数枚の帯板状基部のそれぞれの上面に複数の刺激用突起を上向きに設けたタイプの下側パネルである。このタイプの下側パネルは、上記の平板タイプの下側パネルにおける板状基部を帯状に分割した構造に相当する。このように、下側パネルを分割された構造とすることにより、下側パネルを運搬や保管する際のスペースを抑えることが可能になる。また、例えば、格子枠部を構成する格子目の列によって１つの格子目当たりの刺激用突起の本数を切り替えることが容易になる等、下側パネルのバリエーションを増やすことも容易となる。さらに、下側パネルにおける隣り合う帯板状基部の間に隙間を設けると、その隙間を通じて格子目の内部の排水を行うことが可能になる等、下側パネルを高機能化することも可能になる。以下においては、このタイプの下側パネルを「帯板タイプの下側パネル」と呼ぶことがある。
【００１７】
次に、網状基部の上面側に複数の刺激用突起を上向きに設けたタイプの下側パネルである。このタイプの下側パネルは、上記の平板タイプの下側パネルにおける板状基部を網状基部で置き換えたものに相当する。このように、平板タイプの下側パネルにおける板状基部に相当する部分を網状にすることにより、下側パネルを軽量化することが可能になる。また、平板タイプの下側パネルと同様、下側パネルを、網状基部と複数の刺激用突起とが一体化された１つの部材とすることも可能になる。したがって、下側パネルの運搬や施工を容易に行うことが可能になる。加えて、網状基部の網目を通じて格子枠部の格子目の排水を行うことが可能になる等、下側パネルを高機能化することも可能になる。以下においては、このタイプの下側パネルを「網タイプの下側パネル」と呼ぶことがある。
【００１８】
本発明の動物侵入防止用敷設パネルは、上記のように上側パネルと下側パネルとで構成する場合のほか、その全体を立体格子枠状に組み上げた構造とすることも可能である。
すなわち、動物侵入防止用敷設パネルを、
その上面に平行な一の方向に配される複数本の第一棒材と、
その上面に平行で、且つ、第一棒材とは非平行な方向に配される複数本の第二棒材と、
その上面に非平行な方向に配される複数本の第三棒材と
を立体格子状に組み上げた構造とすることができる。
【００１９】
これにより、格子枠部における格子目の内部に刺激用突起が配されるという比較的複雑な構造を有する本発明の動物侵入防止用敷設パネルを、容易に組み上げることが可能になる。また、動物侵入防止用敷設パネルの全体を軽量化することも可能になる。
【発明の効果】
【００２０】
以上のように、本発明によって、地面等に敷設するタイプの動物侵入防止体（動物侵入防止用敷設パネル）でありながら、猪等、比較的大型の動物の侵入を防ぐことができるようにするとともに、その上面を人や車両が通行することもできるようにすることが可能になる。また、上記の動物侵入防止用敷設パネルを地面等に施工する方法（動物侵入防止用敷設パネルの施工方法）を提供することや、上記の動物侵入防止用敷設パネルを用いて動物の侵入を防止する方法（動物侵入防止方法）を提供することも可能になる。
【図面の簡単な説明】
【００２１】
【図１】第一実施態様の動物侵入防止用敷設パネルを上方から見た状態を示した平面図である。
【図２】第一実施態様の動物侵入防止用敷設パネルを地面に施工した後の状態を、動物侵入防止用敷設パネルに垂直な平面で切断した状態を示した断面図である。
【図３】第一実施態様の動物侵入防止用敷設パネルにおける上側パネルに対して下側パネルを組み付ける前後の様子を示した斜視図である。
【図４】第二実施態様の動物侵入防止用敷設パネルを上方から見た状態を示した平面図である。
【図５】第三実施態様の動物侵入防止用敷設パネルにおける上側パネルに対して下側パネルを組み付ける前後の様子を示した斜視図である。
【図６】第四実施態様の動物侵入防止用敷設パネルにおける上側パネルに対して下側パネルを組み付ける前後の様子を示した斜視図である。
【図７】第五実施態様の動物侵入防止用敷設パネルを示した斜視図である。
【図８】第五実施態様の動物侵入防止用敷設パネルにおける第一棒材、第二棒材及び第三棒材における連結部分を拡大して示した斜視図である。
【図９】第六実施態様の動物侵入防止用敷設パネルを示した斜視図である。
【図１０】第七実施態様の動物侵入防止用敷設パネルにおける上側パネルに対して下側パネルを組み付ける前後の様子を示した斜視図である。
【図１１】第七実施態様の動物侵入防止用敷設パネルを構成する下側パネルを示した斜視図であって、刺激用突起を切り起こす前の状態と、刺激用突起を切り起こした後の状態とをそれぞれ示した図である。
【図１２】第七実施態様の動物侵入防止用敷設パネルを構成する下側パネルを示した斜視図であって、図１１におけるＢ部を拡大して示した図である。
【図１３】第八実施態様の動物侵入防止用敷設パネルを構成する下側パネルを示した斜視図であって、図１１におけるＢ部に相当する部分を拡大して示した図である。
【図１４】第九実施態様の動物侵入防止用敷設パネルを構成する下側パネルを示した斜視図であって、図１１におけるＢ部に相当する部分を拡大して示した図である。
【図１５】第十実施態様の動物侵入防止用敷設パネルを示した斜視図であって、格子目の周辺を拡大して示した図である。
【図１６】第十実施態様の動物侵入防止用敷設パネルの他の例を示した斜視図であって、格子目の周辺を拡大して示した図である。
【発明を実施するための形態】
【００２２】
本発明の動物侵入防止用敷設パネルの好適な実施態様について、図面を用いてより具体的に説明する。以下においては、第一実施態様から第十実施態様までの１０パターンの実施態様を例に挙げて本発明の動物侵入防止用敷設パネルについて説明する。しかし、本発明の動物侵入防止用敷設パネルの技術的範囲は、これらの実施態様に限定されない。本発明の動物侵入防止用敷設パネルは、発明の趣旨を損なわない範囲で、これらの実施態様のものから適宜変更を施すことができる。
【００２３】
１．第一実施態様の動物侵入防止用敷設パネル
まず、第一実施態様の動物侵入防止用敷設パネルについて説明する。図１は、第一実施態様の動物侵入防止用敷設パネル１０を上方から見た状態を示した平面図である。図２は、第一実施態様の動物侵入防止用敷設パネル１０を地面Ｇに施工した後の状態を、動物侵入防止用敷設パネル１０に垂直な平面で切断した状態を示した断面図である。図３は、第一実施態様の動物侵入防止用敷設パネル１０における上側パネル１１に対して下側パネル１２を組み付ける前後の様子を示した斜視図である。
【００２４】
第一実施態様の動物侵入防止用敷設パネル１０は、図２に示すように、地面Ｇに敷設して動物の侵入を防止するものとなっている。この動物侵入防止用敷設パネル１０は、図３に示すように、その上面側が格子枠状に形成された格子枠部１１とされ、その格子枠部１１におけるそれぞれの格子目αの内側に刺激用突起βが設けられたものとなっている。
【００２５】
格子目αは、動物侵入防止用敷設パネル１０の縦横に二次元的（図３の例では、６行８列）に設けられているが、図１〜３においては、図示の便宜上、一部の格子目のみに符号「α」を付している。同様に、刺激用突起βも、動物侵入防止用敷設パネル１０の縦横に二次元的（図３の例では、６行８列）に設けられているが、図１〜３においては、一部の
刺激用突起βのみに符号「β」を付している。複数の格子目α及び刺激用突起βのうち、一部のもののみに符号を付していることについては、図４以降の図においても同様である。
【００２６】
第一実施態様の動物侵入防止用敷設パネル１０は、図２に示すように、地面Ｇに施工した後に、その上側を歩行しようとする動物の足裏を刺激用突起βで刺激することができるものとなっている。既に述べたように、猪等の動物は、足裏に違和感が生ずることを極端に嫌う習性を有している。この点、第一実施態様の動物侵入防止用敷設パネル１０は、動物侵入防止用敷設パネル１０を一側から他側へ横断するために、動物侵入防止用敷設パネル１０の上面の歩行を試みた動物の足裏を刺激用突起βで刺激してその動物に違和感を覚えさせることで、その動物に侵入（動物侵入防止用敷設パネル１０の一側から他側への横断）を諦めさせるものとなっている。
【００２７】
また、第一実施態様の動物侵入防止用敷設パネル１０は、図１に示すように、刺激用突起βの周囲が格子枠部１１（後述する第一外枠部１１ａや第二外枠部１１ｂや第一仕切枠部１１ｃや第二仕切枠部１１ｄ）で囲まれた構造となっている。このため、動物侵入防止用敷設パネル１０の上面に猪等の動物の足裏が載ったときには、その足裏の一部又は全体が格子目αの中に入り込み、その足裏が刺激用突起βによって刺激される一方で、猪等の動物の足裏と比較して寸法の大きなもの（人の足裏や車両のタイヤ等）が動物侵入防止用敷設パネル１０の上面に載っても、その足裏やタイヤ等は、格子枠部１１によって支持され、格子目αの中に深く入り込まないようになっている。このため、第一実施態様の動物侵入防止用敷設パネル１０は、その上側を人や車両が通行することも可能なものとなっている。
【００２８】
刺激用突起βの上端部は、尖鋭に形成すると、それによって刺激された動物の足裏を傷つける虞があることに加えて、動物侵入防止用敷設パネル１０の上面を通行する人の足裏を傷つけたり、動物侵入防止用敷設パネル１０の上面を通行する車両のタイヤをパンクさせたりする虞がある。このため、刺激用突起βの上端部は、尖鋭に形成せずに、平坦若しくは球状等に形成することが好ましい。第一実施態様の動物侵入防止用敷設パネル１０においても、刺激用突起βの上端部は、図２に示すように、平坦に形成している。
【００２９】
刺激用突起βの直径Ｄ１（図１）は、特に限定されない。しかし、刺激用突起βが細すぎると、刺激用突起βが折れやすくなる等、刺激用突起βの強度を維持することが難しくなる。加えて、必然的に、刺激用突起βの上端部が先鋭になり、動物侵入防止用敷設パネル１０の上面を通行する人の足裏や車両のタイヤ等が傷つきやすくなる。このため、刺激用突起βの直径Ｄ１は、通常、１ｍｍ以上とされる。刺激用突起βの直径Ｄ１は、３ｍｍ以上とすることが好ましく、５ｍｍ以上とすることがより好ましい。
【００３０】
一方、刺激用突起βを太くしすぎると、刺激用突起βの上端部に猪等の動物の足裏が載っても、その動物が違和感を覚えにくくなる虞がある。このため、刺激用突起βの直径Ｄ１は、通常、３０ｍｍ以下とされる。刺激用突起βの直径Ｄ１は、２０ｍｍ以下とすることが好ましく、１５ｍｍ以下とすることがより好ましく、１０ｍｍ以下とすることがさらに好ましい。第一実施態様の動物侵入防止用敷設パネル１０において、刺激用突起βの直径Ｄ１は約１０ｍｍとしている。
【００３１】
刺激用突起βの高さＨ１（図２）は、格子目αの深さＨ２（図２）等に応じて適宜決定される。このとき、刺激用突起βの上端部が動物侵入防止用敷設パネル１０の上面（格子目αの上側開口）から上側に突き出てしまうと、動物侵入防止用敷設パネル１０の上面を人や車両が通行しにくくなる虞がある。このため、刺激用突起βの高さＨ１は、通常、格子目αの深さＨ２と同じか、格子目αの深さＨ２よりも低く設定される。具体的には、格子目αの上側開口から刺激用突起βの上端部までの深さΔＨ（図２）は、通常、０ｍｍ以上とされる。この深さΔＨは、０．５ｍｍ以上とすることが好ましく、１ｍｍ以上とすることがより好ましく、２ｍｍ以上とすることがさらに好ましい。
【００３２】
しかし、刺激用突起βは、猪等の動物の足裏を刺激する機能以外にも、人の足裏や車両のタイヤ等が格子目βに局所的に落ち込まないようにし、動物侵入防止用敷設パネル１０の上面を人や車両等が通行しやすくするという機能も有している。この点、格子目αの上側開口から刺激用突起βの上端部までの深さΔＨ（図２）を大きくしすぎると、人の足裏や車両のタイヤ等が格子目βに深く落ち込むようになり、動物侵入防止用敷設パネル１０の上面を人や車両等が通行しにくくなる虞がある。このため、この深さΔＨは、通常、３０ｍｍ以下とされる。この深さΔＨは、２０ｍｍ以下とすることが好ましく、１５ｍｍ以下とすることがより好ましく、１０ｍｍ以下とすることがさらに好ましい。第一実施態様の動物侵入防止用敷設パネル１０において、深さΔＨは、約５ｍｍとしている。
【００３３】
格子枠部１１におけるそれぞれの格子目αの形状（開口形状）は、特に限定されない。例えば、それぞれの格子目αを三角形状とすると、三角格子状の格子枠部１１が得られ、それぞれの格子目αを四角形状とすると、四角格子状の格子枠部１１が得られ、それぞれの格子目αを正六角形状とすると、六角格子状の格子枠部１１が得られる。第一実施態様の動物侵入防止用敷設パネル１において、それぞれの格子目αの形状は、図１に示すように、矩形状（より厳密には正方形状）となっている。
【００３４】
それぞれの格子目αの寸法（図１における格子目αの前後幅Ｗ１や左右幅Ｗ２）は、小さくしすぎると、動物侵入防止用敷設パネル１０の上面に猪等の動物の足裏が載っても、その足裏の周縁部分が格子枠部１１の上端面で支持された状態となってしまい、その動物の足裏が格子目αに落ち込まず、その足裏が刺激用突起βで刺激されなくなる虞がある。このため、それぞれの格子目αの前後幅Ｗ１及び左右幅Ｗ２は、通常、５ｃｍ以上とされる。それぞれの格子目αの前後幅Ｗ１及び左右幅Ｗ２は、８ｃｍ以上であることが好ましく、１０ｃｍ以上であることがより好ましい。
【００３５】
ただし、それぞれの格子目αの寸法（図１における格子目αの前後幅Ｗ１や左右幅Ｗ２）を大きくしすぎると、猪等の動物の足裏だけでなく、人の足裏や車両のタイヤ等までもが格子目αの落ち込みやすくなり、動物侵入防止用敷設パネル１０の上面を人や車両が通行しにくくなる虞がある。このため、それぞれの格子目αの前後幅Ｗ１及び左右幅Ｗ２は、通常、２０ｃｍ以下とされる。それぞれの格子目αの前後幅Ｗ１及び左右幅Ｗ２は、１７ｃｍ以下であることが好ましく、１５ｃｍ以下であることがより好ましい。第一実施態様の動物侵入防止用敷設パネル１０において、それぞれの格子目αの前後幅Ｗ１及び左右幅Ｗ２は、約１０ｃｍとなっている。
【００３６】
格子目αの深さＨ２（図２）は、刺激用突起βの高さＨ１（図２）によっても異なり、特に限定されない。しかし、格子目αの深さＨ２が浅すぎると、必然的に、刺激用突起βも低くなり、刺激用突起βで猪等の動物の足裏に違和感を与えにくくなる虞がある。このため、格子目αの深さＨ２は、通常、２ｃｍ以上とされる。格子目αの深さＨ２は、５ｃｍ以上であることが好ましく、１０ｃｍ以上であることがより好ましい。
【００３７】
一方、格子目αを深くしすぎると、動物侵入防止用敷設パネル１０が厚くなって大型化してしまう。また、格子目αにゴミや土等が詰まった場合に除去しにくくなる虞もある。さらに、必然的に、刺激用突起βを長く形成する必要が生じ、刺激用突起βの強度を維持しにくくなる虞もある。このため、格子目αの深さＨ２は、通常、２０ｃｍ以下とされる。格子目αの深さＨ２は、１５ｃｍ以下とすることが好ましい。第一実施態様の動物侵入防止用敷設パネル１０において、格子目αの深さＨ２は、約１０ｃｍとなっている。
【００３８】
ところで、動物侵入防止用敷設パネル１０は、格子目αが形成された部分（格子枠部１１）と、刺激用突起βが形成された部分とが、１つの部材で一体的に形成されたものであってもよい。しかし、本発明の動物侵入防止用敷設パネル１０は、上記のように、格子目αの内部に刺激用突起βが配されるという比較的複雑な構造を有するところ、このような構造を１つの部材で構成することは、必ずしも容易ではない。
【００３９】
この点、第一実施態様の動物侵入防止用敷設パネル１０は、図３に示すように、別個に形成された上側パネル１１と下側パネル１２とを互いに組み付けることにより構成されるようにしている。上側パネル１１は、上下に貫通する複数の格子目αを有しており、下側パネル１２は、上側パネルのそれぞれの格子目αに対応する位置に上向きの刺激用突起βを有している。上側パネル１１の下面側から下側パネル１２を組み付けると、下側パネル１２におけるそれぞれの刺激用突起βが、上側パネル１１の格子目αの下側から格子目α内に挿入されるようになっている。
【００４０】
上側パネル１１は、複数の格子目αを有するのであれば、その具体的な形態を特に限定されない。第一実施態様の動物侵入防止用敷設パネル１０において、上側パネル１１は、図３（ａ）に示すように、いずれも帯板状の部材からなる、第一外枠部１１ａと、第二外枠部１１ｂと、第一仕切壁部１１ｃと、第二仕切壁部１１ｄとで構成している。
【００４１】
第一外枠部１１ａは、上側パネル１１の上面に平行な一の方向（図３（ａ）の例では左右方向）に延び、上側パネル１１の外面を形成する部材となっている。この第一外枠部１１ａは、図１に示すように、上側パネル１１において前後一対に設けられる。一方、第二外枠部１１ｂは、上側パネル１１の上面に平行な他の方向（前記一の方向とは別の方向。図３（ａ）の例では前後方向）に延び、上側パネル１１の外面を形成する部材となっている。この第二外枠部１１ｂは、図１に示すように、上側パネル１１において左右一対に設けられる。
【００４２】
これに対し、第一仕切壁部１１ｃは、第一外枠部１１ａに平行な方向（図３（ａ）の例では左右方向）に延び、第一外枠部１１ａ及び第二外枠部１１ｂの内側空間を仕切る部材となっている。この第一仕切壁部１１ｃは、図１に示すように、複数枚設けられており、互いに前後方向に所定を隔てた状態で略平行に配されている。一方、第二仕切壁部１１ｄは、第二外枠部１１ｂに平行な方向（図３（ａ）の例では前後方向）に延び、第一外枠部１１ａ及び第二外枠部１１ｂの内側空間を仕切る部材となっている。この第二仕切壁部１１ｄも、図１に示すように、複数枚設けられており、互い左右方向に所定間隔を隔てた状態で略平行に配されている。
【００４３】
第一実施態様の動物侵入防止用敷設パネル１０では、第一外枠部１１ａと第二外枠部１１ｂと第一仕切壁部１１ｃと第二仕切壁部１１ｄとで仕切られた空間、第一外枠部１１ａと第一仕切壁部１１ｃと第二仕切壁部１１ｄとで仕切られた空間、第二外枠部１１ｂと第一仕切壁部１１ｃと第二仕切壁部１１ｄとで仕切られた空間、及び、第一仕切壁部１１ｃと第二仕切壁部１１ｄとで仕切られた空間のそれぞれが、格子目αを形成するようになっている。
【００４４】
第一外枠部１１ａ、第二外枠部１１ｂ、第一仕切壁部１１ｃ及び第二仕切壁部１１ｄの材質は、必要な強度を有するものであれば特に限定されない。第一外枠部１１ａ等の材質としては、金属や、コンクリートや、木等が例示される。しかし、コンクリートでは、上側パネル１１が重量化して、動物侵入防止用敷設パネル１０の運搬や施工が困難になる虞がある。また、木では、腐食しやすく、経年により強度を維持できなくなる虞がある。このため、第一外枠部１１ａ、第二外枠部１１ｂ、第一仕切壁部１１ｃ及び第二仕切壁部１１ｄの材質は、通常、金属とされる。
【００４５】
第一実施態様の動物侵入防止用敷設パネル１０においても、いずれも帯板状の金属板からなる第一外枠部１１ａと第二外枠部１１ｂと第一仕切壁部１１ｃと第二仕切壁部１１ｄとを一体化させることにより、上側パネル１１を構成している。第一外枠部１１ａと第二外枠部１１ｂと第一仕切壁部１１ｃと第二仕切壁部１１ｄとの一体化の方法は、特に限定されず、それらを形成する金属板を互いに溶接する方法や、互いにネジ止めする方法や、互いに嵌合する方法等が例示される。
【００４６】
下側パネル１２は、通常、図３（ａ）に示すように、複数の刺激用突起βと、これらの刺激用突起βを支持する基部１２ａとで構成される。基部１２ａは、後述するように、様々な形態を採用することができる。第一実施態様の動物侵入防止用敷設パネル１０においては、図３（ａ）に示すように、矩形状を為す１枚の板状基部１２ａ１の上面側に複数の刺激用突起βを上向きに設けたものを下側パネル１２として用いている。第一実施態様の動物侵入防止用敷設パネル１０における下側パネル１２は、上述した「平板タイプの下側パネル」に相当するものとなっている。
【００４７】
第一実施態様の動物侵入防止用敷設パネル１０では、金属板からなる板状基部１２ａ１に、金属棒からなる刺激用突起βを溶接することにより、下側パネル１２を形成しているが、これに限定されない。例えば、金属板（板状基部１２ａ１）を上下に貫通するネジ孔を設け、そのネジ孔の下側からボルトを上向きに螺合させ、当該ボルトにおける、ネジ孔から上側に突き出たネジ軸部を刺激用突起βとする構造等も可能である。
【００４８】
動物侵入防止用敷設パネル１０を、上記のように構成することによって、比較的複雑な構造を有する動物侵入防止用敷設パネル１０を、比較的単純な構造を有する上側パネル１１と下側パネル１２とを組み付けることによって得ることが可能になる。したがって、動物侵入防止用敷設パネル１０の製造コストを抑えるだけでなく、動物侵入防止用敷設パネル１０の強度を維持することも可能となっている。
【００４９】
第一実施態様の動物侵入防止用敷設パネル１０は、地面Ｇに直接敷設してもよい。しかし、動物侵入防止用敷設パネル１０は、ある程度の厚みを有するため、地面Ｇにそのまま敷設すると、その厚みに相当する段差が生じてしまう。このため、動物侵入防止用敷設パネル１０は、図２に示すように、地面Ｇに穴を掘って、その穴に埋め込むようにすることが好ましい。これにより、動物侵入防止用敷設パネル１０の上面の高さを地面Ｇの高さに揃えることが可能になり、上記の段差が生じないようにすることができる。
【００５０】
またこのとき、地面Ｇに掘った穴に動物侵入防止用敷設パネル１０をそのまま埋め込むと、動物侵入防止用敷設パネル１０がガタついたり沈みこんだりする虞がある。このため、図２に示すように、地面Ｇに掘った穴の底部に基礎コンクリート３０を打ち込んで養生し、その上側にゴムシート３０を敷いてから、動物侵入防止用敷設パネル１０を敷設すると好ましい。これにより、動物侵入防止用敷設パネル１０のガタツキや沈み込みを防止することが可能になる。
【００５１】
第一実施態様の動物侵入防止用敷設パネル１０で侵入を防止する動物の種類は、特に限定されない。第一実施態様の動物侵入防止用敷設パネル１０で侵入を防止できる動物としては、猪のほか、鹿やイタチや狸や犬や猫等が挙げられる。これらの動物はいずれも、足裏に違和感が与えられることを嫌う習性を有している。
【００５２】
２．第二実施態様の動物侵入防止用敷設パネル
続いて、第二実施態様の動物侵入防止用敷設パネル１０について説明する。第二実施態様の動物侵入防止用敷設パネル１０については、第一実施態様の動物侵入防止用敷設パネル１０と異なる構成のみを説明し、第一実施態様の動物侵入防止用敷設パネル１０と共通な構成についての説明は割愛する。第二実施態様の動物侵入防止用敷設パネル１０で言及しなかった構成については、第一実施態様の動物侵入防止用敷設パネル１０で述べたものと同様の構成を採用することができる。
【００５３】
図４は、第二実施態様の動物侵入防止用敷設パネル１０を上方から見た状態を示した平面図である。第一実施態様の動物侵入防止用敷設パネル１０では、図１に示すように、１つの格子目αにつき、刺激用突起βが１本ずつ配されていた。これに対し、第二実施態様の動物侵入防止用敷設パネル１０では、図４に示すように、１つの格子目αにつき、刺激用突起βが複数本ずつ配されている。
【００５４】
このように、１つの格子目αに複数本の刺激用突起βを配することにより、人の足裏や車両のタイヤが格子目αに入り込みにくくして、動物侵入防止用敷設パネル１０の上面を人や車両がより通行しやすくすることが可能になる。また、動物侵入防止用敷設パネル１０の上面を通行する人や車両の荷重が、複数本の刺激用突起βに分散されやすくなり、１本の刺激用突起βのみに局所的な荷重が掛かりにくくなるため、刺激用突起βを破損しにくくすることも可能になる。
【００５５】
１つの格子目αにおける刺激用突起βの本数は、全ての格子目αで揃えてもよいし、格子目αによって変えてもよい。例えば、荷重の掛かりやすい部分の格子目αにおける刺激用突起βの本数を、荷重が掛かりにくい部分の格子目αにおける刺激用突起βの本数よりも増やす等してもよい。
【００５６】
１つの格子目αに複数本の刺激用突起βを配する場合において、１つの格子目αにおける刺激用突起βの本数をどの程度とするかは特に限定されない。１つの格子目αにおける刺激用突起βの本数は、２本とすることもできるし、３本とすることもできるし、４本とすることもできるし、５本以上とすることもできる。しかし、１つの格子目αにおける刺激用突起βの本数が多くなりすぎると、隣り合う刺激用突起βの隙間や、刺激用突起βと格子枠部１１との隙間が狭くなり、猪等の動物が足裏に違和感を覚えにくくなる虞がある。また、これらの隙間にゴミや土等が詰まりやすくなる虞もある。
【００５７】
このため、１つの格子目αにおける刺激用突起βの本数は、通常、２０本以下とされる。１つの格子目αにおける刺激用突起βの本数は、１０本以下とすることが好ましく、８本以下とすることがより好ましい。第二実施態様の動物侵入防止用敷設パネル１０において、１つの格子目αにおける刺激用突起βの本数は、５本としており、真ん中の刺激用突起βを中心として、他の４本の刺激用突起βを対称（回転対称）に配置している。このように、複数本の刺激用突起βを対称配置することによって、上記の効果がより奏されやすくなる。
【００５８】
３．第三実施態様の動物侵入防止用敷設パネル
続いて、第三実施態様の動物侵入防止用敷設パネル１０について説明する。第三実施態様の動物侵入防止用敷設パネル１０については、第一実施態様の動物侵入防止用敷設パネル１０と異なる構成のみを説明し、第一実施態様の動物侵入防止用敷設パネル１０と共通な構成についての説明は割愛する。第三実施態様の動物侵入防止用敷設パネル１０で言及しなかった構成については、第一実施態様や第二実施態様の動物侵入防止用敷設パネル１０で述べたものと同様の構成を採用することができる。
【００５９】
図５は、第三実施態様の動物侵入防止用敷設パネル１０における上側パネル１１に対して下側パネル１２を組み付ける前後の様子を示した斜視図である。第一実施態様の動物侵入防止用敷設パネル１０では、図３に示すように、下側パネル１２における基部１２ａを１枚の板状基部１２ａ１によって構成していた。これに対し、第三実施態様の動物侵入防止用敷設パネル１０では、図５に示すように、下側パネル１２における基部１２ａを、複数枚の帯板状基部１２ａ２によって構成している。それぞれの帯板状基部１２ａ２には、複数本の刺激用突起βが上向きに設けられている。
【００６０】
このように、下側パネル１２を、複数枚の帯板状基部１２ａ２に分割された構造とすることにより、下側パネル１２を運搬や保管する際のスペースを抑えることが可能になる。また、例えば、格子目αの列によって１つの格子目α当たりの刺激用突起βの本数を切り替えることが容易になる等、下側パネル１２のバリエーションを増やすことも容易となる。さらに、隣り合う帯板状基部１２ａ２の間に隙間を設けると、その隙間を通じて格子目αの内部の排水を行うことが可能になる等、下側パネルを高機能化することも可能になる。第三実施態様の動物侵入防止用敷設パネル１０における下側パネル１２は、上述した「帯板タイプの下側パネル」に相当するものとなっている。
【００６１】
４．第四実施態様の動物侵入防止用敷設パネル
続いて、第四実施態様の動物侵入防止用敷設パネル１０について説明する。第四実施態様の動物侵入防止用敷設パネル１０については、第一実施態様の動物侵入防止用敷設パネル１０と異なる構成のみを説明し、第一実施態様の動物侵入防止用敷設パネル１０と共通な構成についての説明は割愛する。第四実施態様の動物侵入防止用敷設パネル１０で言及しなかった構成については、第一実施態様や第二実施態様の動物侵入防止用敷設パネル１０で述べたものと同様の構成を採用することができる。
【００６２】
図６は、第四実施態様の動物侵入防止用敷設パネル１０における上側パネル１１に対して下側パネル１２を組み付ける前後の様子を示した斜視図である。第一実施態様の動物侵入防止用敷設パネル１０では、図３に示すように、下側パネル１２における基部１２ａを１枚の板状基部１２ａ１によって構成していた。これに対し、第四実施態様の動物侵入防止用敷設パネル１０では、図６に示すように、下側パネル１２における基部１２ａを、網状基部１２ａ３によって構成している。この網状基部１２ａ３の上面側には、複数本の刺激用突起βを上向きに設けている。
【００６３】
このように、基部１２ａを網状のもの（網状基部１２ａ３）とすることにより、下側パネル１２を軽量化することが可能になる。また、下側パネル１２を、網状基部１２ａ３と複数の刺激用突起βとが一体化された１つの部材として、下側パネル１２の運搬や施工を容易に行うことが可能になる。加えて、網状基部１２ａ３の網目を通じて格子目βの排水を行うことが可能になる等、下側パネル１２を高機能化することも可能になる。第四実施態様の動物侵入防止用敷設パネル１０における下側パネル１２は、上述した「網タイプの下側パネル」に相当するものとなっている。
【００６４】
５．第五実施態様の動物侵入防止用敷設パネル
続いて、第五実施態様の動物侵入防止用敷設パネル１０について説明する。第五実施態様の動物侵入防止用敷設パネル１０については、第一実施態様の動物侵入防止用敷設パネル１０と異なる構成のみを説明し、第一実施態様の動物侵入防止用敷設パネル１０と共通な構成についての説明は割愛する。第五実施態様の動物侵入防止用敷設パネル１０で言及しなかった構成については、第一実施態様や第二実施態様の動物侵入防止用敷設パネル１０で述べたものと同様の構成を採用することができる。
【００６５】
図７は、第五実施態様の動物侵入防止用敷設パネル１０を示した斜視図である。図７では、図示の便宜上、刺激用突起βを上向きの矢印で示している。図８は、第五実施態様の動物侵入防止用敷設パネル１０における第一棒材１０ａ、第二棒材１０ｂ及び第三棒材１０ｃにおける連結部分を拡大して示した斜視図である。図８では、図示の便宜上、刺激用突起βに網掛けハッチングを施している。
【００６６】
第一実施態様の動物侵入防止用敷設パネル１０は、図３に示すように、刺激用突起βを除いた略全体が板状部材又は帯板状部材によって形成されていた。これに対し、第五実施態様の動物侵入防止用敷設パネル１０は、図７に示すように、複数本の棒材１０ａ，１０ｂ，１０ｃを立体格子状に組み上げたものとなっている。具体的には、図８に示すように、複数本の第一棒材１０ａと、複数本の第二棒材１０ｂと、複数本の第三棒材１０ｃとを立体格子状に組み上げることによって動物侵入防止用敷設パネル１０を構成している。第一棒材１０ａは、動物侵入防止用敷設パネル１０の上面に平行な一の方向（図８の例では前後方向）に配されている。第二棒材１０ｂは、動物侵入防止用敷設パネル１０の上面に平行で、且つ、第一棒材１０ａとは非平行な方向（図８の例では左右方向）に配されている。第三棒材１０ｃは、動物侵入防止用敷設パネル１０の上面に非平行（図８の例では垂直）な方向に配されている。
【００６７】
これらの棒材１０ａ，１０ｂ，１０ｃは、その端部に形成したリング状の部分を他の棒材１０ａ，１０ｂ，１０ｃに連結したり、その端部を他の棒材１０ａ，１０ｂ，１０ｃに溶接したりすること等によって、互いに一体化した状態に組み上げられる。加えて、第五実施態様の動物侵入防止用敷設パネル１０においては、刺激用突起βを、その下端部がリング状に形成された棒材によって形成しており、刺激用突起βにおけるそのリング状の部分を第二棒材１０ｂに連結する（第一棒材１０ａに連結してもよい。）とともに、刺激用突起βの中途部分を、第二棒材１０ｂの中途部分に設けたリング状の部分（第一棒材１０ａの中途部分に設けたリング状の部分でもよい。）に挿通することにより、格子目αの内部で上向きに配した状態としている。
【００６８】
このように、動物侵入防止用敷設パネル１０を立体格子状のものとすることにより、比較的複雑な構造を有する動物侵入防止用敷設パネル１０を、容易に組み上げることが可能になる。また、動物侵入防止用敷設パネル１０の全体を軽量化することも可能になる。
【００６９】
また、図７に示すように、第五実施態様の動物侵入防止用敷設パネル１０では、第一実施態様の動物侵入防止用敷設パネル１０では存在しなかった動物侵入防止用フェンス２０を付属させている。この動物侵入防止用フェンス２０は、猪等の動物が動物侵入防止用敷設パネル１０を飛び越えようとした際の障壁として機能する部分となっている。
【００７０】
動物侵入防止用フェンス２０は、動物侵入防止用敷設パネル１０から分離された構造としてもよい。しかし、第五実施態様の動物侵入防止用敷設パネル１０において、動物侵入防止用フェンス２０は、動物侵入防止用敷設パネル１０の端縁部に、ヒンジ等を介して回動可能な状態（図７における矢印Ａの方向に回動可能な状態）で連結している。このため、動物侵入防止用フェンス２０は、不要時には、動物侵入防止用敷設パネル１０に対して倒伏した状態とし、必要時にのみ、動物侵入防止用敷設パネル１０に対して起立した状態とすることができるようになっている。
【００７１】
動物侵入防止用フェンス２０は、連続面状を為す板状の部材によって形成してもよいが、この場合には、動物侵入防止用フェンス２０の存在感が大きくなりすぎて、景観を損なう虞がある。また、動物侵入防止用フェンス２０の重量が大きくなるという問題もある。このため、第五実施態様の動物侵入防止用敷設パネル１０では、動物侵入防止用フェンス２０を網状に形成しており、景観の維持と軽量化を図っている。
【００７２】
加えて、第五実施態様の動物侵入防止用敷設パネル１０では、動物侵入防止用フェンス２０における網目の形状及び寸法を、動物侵入防止用敷設パネル１０の上面における格子目αの形状及び寸法に一致させている。このため、動物侵入防止用敷設パネル１０に対して動物侵入防止用フェンス２０を倒伏させた状態としても、動物侵入防止用フェンス２０の網目が、動物侵入防止用敷設パネル１０の格子目αに重なって、格子目αの上側が塞がれないようになっている。したがって、動物侵入防止用フェンス２０を倒伏状態としても、動物侵入防止用敷設パネル１０は、その機能（猪等の動物の足裏を刺激用突起βで刺激する機能）を発揮することができるようになっている。
【００７３】
６．第六実施態様の動物侵入防止用敷設パネル
続いて、第六実施態様の動物侵入防止用敷設パネル１０について説明する。第六実施態様の動物侵入防止用敷設パネル１０については、第一実施態様の動物侵入防止用敷設パネル１０と異なる構成のみを説明し、第一実施態様の動物侵入防止用敷設パネル１０と共通な構成についての説明は割愛する。第六実施態様の動物侵入防止用敷設パネル１０で言及しなかった構成については、第一実施態様や第二実施態様の動物侵入防止用敷設パネル１０で述べたものと同様の構成を採用することができる。
【００７４】
図９は、第六実施態様の動物侵入防止用敷設パネル１０を示した斜視図である。図９（ａ）は、動物侵入防止用敷設パネル１０の平面図を、図９（ｂ）は、動物侵入防止用敷設パネル１０の正面図を、図９（ｃ）は、動物侵入防止用敷設パネル１０を図９（ａ）におけるＸ−Ｘ面で切断した状態を示した断面図を、図９（ｄ）は、動物侵入防止用敷設パネル１０の右側面図を、図９（ｅ）は、動物侵入防止用敷設パネル１０を図９（ａ）におけるＹ−Ｙ面で切断した状態を示した断面図を示している。
【００７５】
第一実施態様の動物侵入防止用敷設パネル１０では、図１に示すように、それぞれの格子目αの前後幅Ｗ１と左右幅Ｗ２とが略等しくなっており、格子目αの平面視形状は略正方形となっていた。これに対し、第六実施態様の動物侵入防止用敷設パネル１０では、図９（ａ）に示すように、それぞれの格子目αの前後幅Ｗ１（図１を参照）が左右幅Ｗ２（図１を参照）よりも長くなっており、格子目αの平面視形状が略長方形となっている。第六実施態様の動物侵入防止用敷設パネル１０においては、それぞれの格子目αの前後幅Ｗ１を約１００ｍｍとしており、それぞれの格子目αの左右幅Ｗ２を３０〜４０ｍｍ程度としている。このように、格子目αは、その前後幅Ｗ１と左右幅Ｗ２とを異ならせることもできる。
【００７６】
第六実施態様の動物侵入防止用敷設パネル１０のように、格子目αの前後幅Ｗ１と左右幅Ｗ２とを異ならせる場合には、その動物侵入防止用敷設パネル１０は、格子目αの長辺方向（前後方向）が、動物の侵入方向や、人や車両の進行方向となる（格子目αの長辺方向（前後方向）が道路等の進路方向になる）ように施工することが好ましい。また、それぞれの格子目αの内部には、図９（ａ）に示すように、複数本（同図の例では３本）の刺激用突起βを配することが好ましい。これにより、動物侵入防止用敷設パネル１０を、人や車両がより通行しやすいものとしながらも、動物（特に蹄を有する動物）はより歩行しにくいものとすることができる。
【００７７】
また、第一実施態様の動物侵入防止用敷設パネル１０では、図１に示すように、上側パネル１１における第一外枠部１１ａや第二外枠部１１ｂの上端面を平坦に形成していた。これに対し、第六実施態様の動物侵入防止用敷設パネル１０では、図９（ｂ）や図９（ｄ）に示すように、第一外枠部１１ａや第二外枠部１１ｂの上端面に凹凸γを設けているとともに、第一仕切壁部１１ｃや第二仕切壁部１１ｄの上端面にも凹凸γを設けている。これらの凹凸γは、動物侵入防止用敷設パネル１０の上面を人や車両が通行する際の滑り止め（特に車両が通行する際のタイヤの滑り止め）として機能するものとなっている。これにより、動物侵入防止用敷設パネル１０を、人や車両がより通行しやすいものとすることができる。
【００７８】
７．第七実施態様の動物侵入防止用敷設パネル
続いて、第七実施態様の動物侵入防止用敷設パネル１０について説明する。第七実施態様の動物侵入防止用敷設パネル１０については、第一実施態様の動物侵入防止用敷設パネル１０と異なる構成のみを説明し、第一実施態様の動物侵入防止用敷設パネル１０と共通な構成についての説明は割愛する。第七実施態様の動物侵入防止用敷設パネル１０で言及しなかった構成については、第一実施態様や第二実施態様の動物侵入防止用敷設パネル１０で述べたものと同様の構成を採用することができる。
【００７９】
図１０は、第七実施態様の動物侵入防止用敷設パネル１０における上側パネル１１に対して下側パネル１２を組み付ける様子を示した斜視図である。図１０（ａ）は、上側パネル１１に対して下側パネル１２を組み付ける前の状態を、図１０（ｂ）は、上側パネル１１に対して下側パネル１２を組み付けた後の状態をそれぞれ示している。図１１は、第七実施態様の動物侵入防止用敷設パネル１０を構成する下側パネル１２を示した斜視図である。図１１（ａ）は、下側パネル１２を形成する板状基部１２ａ１から刺激用突起βを切り起こす前の状態を、図１１（ｂ）は、板状基部１２ａ１から刺激用突起βを切り起こした後の状態をそれぞれ示している。図１２は、第七実施態様の動物侵入防止用敷設パネル１０を構成する下側パネル１２を示した斜視図であって、図１１におけるＢ部を拡大して示した図である。図１２（ａ）は、下側パネル１２を形成する板状基部１２ａ１から刺激用突起βを切り起こす前の状態を、図１２（ｂ）は、板状基部１２ａ１から刺激用突起βを切り起こした後の状態をそれぞれ示している。
【００８０】
上述した第一実施態様から第六実施態様までの動物侵入防止用敷設パネル１０はいずれも、下側パネル１２が複数の部材によって構成されていた。特に、刺激用突起βは、下側パネル１２における刺激用突起β以外の部分（板状基部１２ａ１等）とは別部材からなるものを事後的に板状基部１２ａ１等に固定することによって設けていた。このため、第一実施態様から第六実施態様までの動物侵入防止用敷設パネル１０では、下側パネル１２を製造するのに手間を要し、結果として、動物侵入防止用敷設パネル１０の製造コストを抑えることが難しくなる虞があった。
【００８１】
これに対し、第七実施態様の動物侵入防止用敷設パネル１０では、図１１に示すように、下側パネル１２が１つの部材（板状基部１２ａ１）によって構成されている。換言すると、刺激用突起βは、板状基部１２ａ１から切り起こすことによって形成している。具体的には、図１２（ａ）に示すように、板状基部１２ａ１を切断線Ｌ１に沿って切断した後、図１２（ｂ）に示すように、刺激用突起βを形成する部分を、折曲線Ｌ２で折り曲げて切り起こすことによって、刺激用突起βを設けている。
【００８２】
これにより、板状基部１２ａ１を切断して、刺激用突起βを切り起こすという２つの工程で下側パネル１２を製造することが可能になる。したがって、下側パネル１２の製造に要する手間を削減して、動物侵入防止用敷設パネル１０の製造コストを抑えることが可能になる。下側パネル１２は、図１１に示すように、複数本の刺激用突起βを有するところ、これら複数本の刺激用突起βは、多数の刃が形成されたパンチを用いて同時に打ち抜き、多数の切り起こし突起が形成された部材を板状基部１２ａ１の下面側から上向きに移動させること等によって、同時に切り起こすことができる。
【００８３】
第七実施態様の動物侵入防止用敷設１０において、刺激用突起βを切り起こした後の板状基部１２ａ１には、図１２（ｂ）に示すように、開口部１２ａ５が形成される。この開口部１２ａ５によって、下側パネル１２を軽量化することが可能になる。また、動物侵入防止用敷設パネル１０の格子目α（図１０）に溜まった雨水等を、この開口部１２ａ５を通じて排出することも可能になる。
【００８４】
ところで、第七実施態様の動物侵入防止用敷設１０においては、図１２（ａ）に示すように、折曲線Ｌ２の両端部に貫通孔１２ａ４を設けている。この貫通孔１２ａ４によって、板状基部１２ａ１から刺激用突起βを切り起こす際の抵抗を小さくし、刺激用突起βを容易に形成することが可能になる。加えて、下側パネル１２をさらに軽量化することも可能になる。この貫通孔１２ａ４も、上記の切断線Ｌ１と同様、多数の刃が形成されたパンチを用いて同時に打ち抜くことができる。
【００８５】
第七実施態様の動物侵入防止用敷設１０において、刺激用突起βは、図１２（ｂ）に示すように、側面視三角形状のものとしている。しかし、切り起こして形成する刺激用突起βの形態は、これに限定されない。以下、切り起こして形成する刺激用突起βの形態のバリエーションについていくつか例に挙げて説明する。
【００８６】
８．第八実施態様の動物侵入防止用敷設パネル
第八実施態様の動物侵入防止用敷設パネル１０について説明する。第八実施態様の動物侵入防止用敷設パネル１０については、第七実施態様の動物侵入防止用敷設パネル１０と異なる構成のみを説明し、第七実施態様の動物侵入防止用敷設パネル１０と共通な構成についての説明は割愛する。第八実施態様の動物侵入防止用敷設パネル１０で言及しなかった構成については、第七実施態様の動物侵入防止用敷設パネル１０で述べたものと同様の構成を採用することができる。
【００８７】
図１３は、第八実施態様の動物侵入防止用敷設パネル１０を構成する下側パネルを示した斜視図であって、図１１におけるＢ部に相当する部分を拡大して示した図である。図１３（ａ）は、下側パネル１２を形成する板状基部１２ａ１から刺激用突起βを切り起こす前の状態を、図１３（ｂ）は、板状基部１２ａ１から刺激用突起βを切り起こした後の状態をそれぞれ示している。
【００８８】
上述した第七実施態様の動物侵入防止用敷設パネル１０では、図１２（ｂ）に示すように、刺激用突起βの先端部が先鋭に尖っていた。このため、動物の足裏に違和感を与えやすく、動物の侵入をより効果的に防止できるものであったが、動物がケガをする虞や、動物侵入防止用敷設パネル１０の上で転んだ子供の手が格子目α（図１０）に入ってしまったとき等に手をケガする虞があった。
【００８９】
この点、第八実施態様の動物侵入防止用敷設パネル１０において、刺激用突起βは、図１３（ｂ）に示すように、その側面視形状が概略三角形状を為しているものの、その先端部が丸みを帯びた形状とされている。このため、動物の足裏や人の手が刺激用突起βの先端部に触れても、ケガをしにくくなっている。すなわち、動物侵入防止用敷設パネル１０を、動物の侵入を防止しながらも、動物や人間を傷つけにくく安全性が高いものとすることが可能となっている。
【００９０】
９．第九実施態様の動物侵入防止用敷設パネル
続いて、第八実施態様の動物侵入防止用敷設パネル１０について説明する。第九実施態様の動物侵入防止用敷設パネル１０については、第七実施態様や第八実施態様の動物侵入防止用敷設パネル１０と異なる構成のみを説明し、第七実施態様や第八実施態様の動物侵入防止用敷設パネル１０と共通な構成についての説明は割愛する。第九実施態様の動物侵入防止用敷設パネル１０で言及しなかった構成については、第七実施態様や第八実施態様の動物侵入防止用敷設パネル１０で述べたものと同様の構成を採用することができる。
【００９１】
図１４は、第九実施態様の動物侵入防止用敷設パネル１０を構成する下側パネル１２を示した斜視図であって、図１１におけるＢ部に相当する部分を拡大して示した図である。図１４（ａ）は、下側パネル１２を形成する板状基部１２ａ１から刺激用突起βを切り起こす前の状態を、図１４（ｂ）は、板状基部１２ａ１から刺激用突起βを切り起こした後の状態をそれぞれ示している。
【００９２】
上述した第七実施態様や第八実施態様の動物侵入防止用敷設パネル１０では、図１２（ｂ）や図１３（ｂ）に示すように、刺激用突起βが側面視三角形状を為すものとなっていた。これに対し、第九実施態様の動物侵入防止用敷設パネル１０では、図１４（ｂ）に示すように、刺激用突起βの側面視形状が、四角形状となっている。より具体的には、台形状となっている。このように、刺激用突起βの先端部を平坦な形状とすることで、刺激用突起βの先端部を丸く形成しなくても、動物侵入防止用敷設パネル１０の安全性を高めることができる。
【００９３】
このように、切り起こすタイプの刺激用突起βでも、その形態は、一様ではなく、様々なバリエーションがある。
【００９４】
１０．第十実施態様の動物侵入防止用敷設パネル
最後に、第十実施態様の動物侵入防止用敷設パネル１０について説明する。第十実施態様の動物侵入防止用敷設パネル１０については、第一実施態様から第九実施態様までの動物侵入防止用敷設パネル１０と異なる構成のみを説明し、第一実施態様から第九実施態様までの動物侵入防止用敷設パネル１０と共通な構成についての説明は割愛する。第十実施態様の動物侵入防止用敷設パネル１０で言及しなかった構成については、第一実施態様から第十実施態様までの動物侵入防止用敷設パネル１０で述べたものと同様の構成を採用することができる。
【００９５】
図１５は、第十実施態様の動物侵入防止用敷設パネル１０を示した斜視図であって、格子目αの周辺を拡大して示した図である。図１６は、第十実施態様の動物侵入防止用敷設パネル１０の他の例を示した斜視図であって、格子目αの周辺を拡大して示した図である。図１５（ａ）及び図１６（ａ）は、格子目αに補強パイプ１３を嵌め込む前の状態を、図１５（ｂ）及び図１６（ｂ）は、格子目αに補強パイプ１３を嵌め込んだ後の状態をそれぞれ示している。
【００９６】
上述した第一実施態様から第九実施態様までの動物侵入防止用敷設パネル１０はいずれも、上側パネル１１が金属によって形成されていた。このため、第一実施態様の動物侵入防止用敷設パネル１０（図３）のように、上側パネル１１を、第一外枠部１１ａと第二外枠部１１ｂと第一仕切枠部１１ｃと第二仕切枠部１１ｄとで構成する場合には、これらの枠部１１ａ，１１ｂ，１１ｃ，１１ｄを金属板から打ち抜いて形成するとともに、これらの枠部１１ａ，１１ｂ，１１ｃ，１１ｄを組み合わせて溶接等によって接合する必要があった。したがって、上側パネル１１の製造コストが増大する虞があった。特に、第六実施態様の動物侵入防止用敷設パネル１０（図９）のように、枠部１１ａ，１１ｂ，１１ｃ，１１ｄの上端面に凹凸γを設ける場合に、上側パネル１１の製造コストが高くなりやすかった。
【００９７】
この点、第十実施態様の動物侵入防止用敷設パネル１０は、上側パネル１１を硬質樹脂製のものとしている。このため、上側パネル１１を構成する各枠部を樹脂の射出成形品とすることや、樹脂板から裁断したものとすることができ、上側パネル１１の製造コストを抑えることが可能となっている。ただし、上側パネル１１を樹脂によって形成すると、上側パネル１１の強度が低下してしまう。この点、第十実施態様の動物侵入防止用敷設パネル１０では、図１５及び図１６に示すように、上側パネル１１の各格子目αに、金属製の補強パイプ１３を嵌め込むことで、上側パネル１１が強度を発揮できるようにしている。
【００９８】
補強パイプ１３は、通常、格子目αの内周形状に倣った形状の外周形状を有するものが用いられる。第十実施態様の動物侵入防止用敷設パネル１０では、格子目αの内周形状が矩形状であるため、補強パイプ１３は、矩形状の外周形状を有するものを用いている。これにより、格子目α内に補強パイプ１３がぴったりと嵌め込まれた状態として、格子目α内に補強パイプ１３をしっかりと保持させることができる。このような補強パイプ１３は、長尺の金属製パイプを所定長さに切断することで、低コストで入手することができる。
【００９９】
以上のように、第十実施態様の動物侵入防止用敷設パネル１０では、上側パネル１１を樹脂によって形成したところ、下側パネル１２も樹脂によって形成することができる。下側パネル１２に設けられる刺激用突起βは、歩行者等の荷重が直接加わる場所ではないため、上側パネル１１ほどの強度は要求されないからである。下側パネル１２も樹脂の射出成型品等とすれば、動物侵入防止用敷設パネル１０の製造コストをさらに抑えることができる。
【符号の説明】
【０１００】
１０    動物侵入防止用敷設パネル
１０ａ  第一棒材
１０ｂ  第二棒材
１０ｃ  第三棒材
１１    上側パネル（格子枠部）
１１ａ  第一外枠部
１１ｂ  第二外枠部
１１ｃ  第一仕切枠部
１１ｄ  第二仕切枠部
１２    下側パネル
１２ａ  基部
１２ａ１  板状基部
１２ａ２  帯板状基部
１２ａ３  網状基部
１２ａ４  貫通孔
１２ａ５  開口部
１３    補強パイプ
２０    動物侵入防止用フェンス
３０    基礎コンクリート
４０    ゴムシート
Ｇ    地面
Ｄ１  刺激用突起の直径
Ｌ１  切断線
Ｌ２  折曲線
Ｈ１  刺激用突起の高さ
Ｈ２  格子目の深さ
ΔＨ    格子目の上側開口から刺激用突起の上端部までの深さ
Ｗ１  格子目の前後幅
Ｗ２  格子目の左右幅
α    格子目
β    刺激用突起
γ    凹凸
【図１】
2019193624.tif 000003
【図２】
2019193624.tif 000004
【図３】
2019193624.tif 000005
【図４】
2019193624.tif 000006
【図５】
2019193624.tif 000007
【図６】
2019193624.tif 000008
【図７】
2019193624.tif 000009
【図８】
2019193624.tif 000010
【図９】
2019193624.tif 000011
【図１０】
2019193624.tif 000012
【図１１】
2019193624.tif 000013
【図１２】
2019193624.tif 000014
【図１３】
2019193624.tif 000015
【図１４】
2019193624.tif 000016
【図１５】
2019193624.tif 000017
【図１６】
2019193624.tif 000018